(57)【要約】【課題】本発明は、消費者が購入を希望する商品を重量、質量単位で販売する、いわゆる量り売りを行う商品販売サーバ装置に関するものである。【解決手段】消費者端末とメーカー端末と店舗端末とにネットワークを介して接続可能なサーバ装置であり、該サーバ装置は、商品識別情報と質量、容量等の在庫量情報と、容器情報とを関連付けて記憶部に記憶し、該記憶部の情報を前記店舗端末に送信可能であり、前記消費者端末から入力された商品識別情報と購入量情報とを受信すると、該商品識別情報に該当する在庫量情報を記憶部から読み出し、前記消費者端末へ受注情報と容器情報を送信することを特徴とする商品販売サーバ装置。【選択図】図１
2004164160.tif 000002
【特許請求の範囲】
【請求項１】
消費者端末とメーカー端末と店舗端末とにネットワークを介して接続可能なサーバ装置であり、該サーバ装置は、商品識別情報と質量、容量等の在庫量情報と、容器情報とを関連付けて記憶部に記憶し、該記憶部の情報を前記店舗端末に送信可能であり、前記消費者端末から入力された商品識別情報と購入量情報とを受信すると、該商品識別情報に該当する在庫量情報を記憶部から読み出し、該在庫単位情報が前記購入量情報より多い場合は前記消費者端末へ受注情報と容器情報を送信し、該在庫量情報が前記購入量情報より少ない場合は、前記メーカー端末へ少なくとも不足量以上の発注情報を送信すると共に、該発注情報を受信した前記メーカー端末が入力する納入予定日情報を前記消費者端末へ送信することを特徴とする商品販売サーバ装置。
【発明の詳細な説明】
【０００１】
【発明の属する技術分野】
本発明は、消費者が購入を希望する商品を重量、質量単位で販売する、いわゆる量り売りを行う商品販売サーバ装置に関するものである。
【０００２】
【従来の技術】
小売店で商品を販売する形態としては、特定重量、質量を予め容器詰めされた商品を最小単位として行われるのが通例である。消費者は自身の希望する重量、質量にもっとも近い商品を購入する。これは、商品の流通形態に起因するところが多く、メーカーは多種多様な消費者の希望量に適合する量の商品を容器に充填して流通、販売することが不可能であるためである。また、最近のネットワークを介して行う電子商取引においてもこの販売形態をそのまま踏襲し、発注、課金のみがネットワークを介して行われている。
【０００３】
【発明が解決しようとする課題】
従来の商品販売形態では、真に消費者が希望する量の商品を販売することはできず、消費者は最も近い量の商品を購入していた。このため、場合によっては商品を過剰に買うことになり、商品購入金額が必要以上に高額になるという問題や、余った商品を長期的に保存することにより鮮度を損なってしまったり、その結果廃棄してしまうという問題が発生いていた。また、商品を収納する容器も商品利用後はごみになっていしまうという問題もあった。これらの問題は、特に食品、化粧品等において顕著であった。
【０００４】
そこで本発明は、上記問題点を解消し、消費者が購入を希望する商品の量をより細やかに指定できるようにするとともに、購入した商品を消費者が持参する容器に収納することで容器ごみの排出を軽減することを図った商品販売サーバ装置を提供する。
【０００５】
【課題を解決するための手段】
本発明は、消費者端末とメーカー端末と店舗端末とにネットワークを介して接続可能なサーバ装置であり、該サーバ装置は、商品識別情報と質量、容量等の在庫量情報と、容器情報とを関連付けて記憶部に記憶し、該記憶部の情報を前記店舗端末に送信可能であり、前記消費者端末から入力された商品識別情報と購入量情報とを受信すると、該商品識別情報に該当する在庫量情報を記憶部から読み出し、該在庫単位情報が前記購入量情報より多い場合は前記消費者端末へ受注情報と容器情報を送信し、該在庫量情報が前記購入量情報より少ない場合は、前記メーカー端末へ少なくとも不足量以上の発注情報を送信すると共に、該発注情報を受信した前記メーカー端末が入力する納入予定日情報を前記消費者端末へ送信することを特徴とする商品販売サーバ装置である。
【０００６】
【発明の実施の形態】
本発明は、サーバ装置１が、ユーザー端末１０、メーカー端末２０、店舗端末３０とにネットワークを介して接続する。図示はしないがユーザー端末１０とメーカー端末２０は複数存在する。店舗端末３０は店舗運営者とサーバ運営者が同じ場合は店舗端末は１台とすることもでき、店舗端末とサーバ装置とを同一装置とし、それぞれの機能を持たせることもできる。また、ネットワークとしては有線、専用線、無線、衛星通信等の公知のネットワークを利用できる。以下図面に従い、本発明の１実施を説明する。本実施例ではサーバ装置運営者と店舗端末運営者とが同一である実施例を説明する。本実施例では図１に示すように、ユーザー端末１０、メーカー端末２０、店舗端末３０とにネットワークを介して接続する。ユーザー端末１０、メーカー端末２０とサーバ装置１とはインターネットにより接続され、店舗端末３０とサーバ装置１とは接続コードを介して接続する。
【０００７】
図２に従い各装置における情報の処理、流れを説明する。サーバ装置１は記憶部に商品識別情報に関連付けて商品名、在庫量情報、容器情報を記憶している。商品識別情報とは数字、記号等によって商品を識別する情報のことであり商品毎に固有の情報であり、ＪＡＮコード等を利用することもできる。商品名とは商品を表す文字情報である。在庫量情報とは各商品について店舗Ａが在庫している量を表す数値情報である。具体的には当該商品を店舗Ａが販売する最小量を１単位として数値化して記憶する。例えば酒であれば１００ミリリットルと最小単位として在庫量情報は１００００ミリリットル、砂糖であれば１００グラムを最小単位として在庫量情報２０００グラムというように数値化する。本実施例では酒に関連付けた商品識別情報１１１１と在庫量情報１００００ミリリットル、砂糖に関連付けた商品識別情報２２２２と在庫量情報２０００グラムとが記憶部に記憶される。容器情報とは、商品に関連付けて、その商品をしゅうのうするのに適した容器の材質等を予めメーカー又は販売店が定めた情報である。ただし容器の収納量としてはユーザーの購入量情報に依存し、購入量情報以上の容量の容器が必要であることをユーザーに示す。
【０００８】
これらのサーバ装置１の記憶部に記憶された情報は店舗端末３０から入力された要求情報を受信することで、記憶部から読み出し前記店舗端末３０へ送信し、該店舗端末３０の表示部に表示可能とする。
【０００９】
次に商品購入に関する情報の流れ、処理を説明する。ユーザーはユーザー端末１０からＵＲＬを入力してサーバ装置１に接続する。ユーザーはユーザー端末１０から商品識別情報、及び購入量情報を入力する。例えば酒に関連付けた商品識別情報１１１１と購入量情報２００ミリリットルを入力する。該商品識別情報と購入量情報とを前記サーバ装置１は受信する。サーバ装置１では受信した商品識別情報１１１１に関連付けた情報を記憶部から読み出す。つまり記憶部からは商品識別情報１１１１と在庫量情報１０００ミリリットルが読み出される。次にサーバ装置１は受信した購入量情報２００ミリリットルと在庫量情報１０００ミリリットルとを比較し、購入量情報に対して在庫量情報が大きいので、受注情報、及び容器情報を前記ユーザー端末へ送信する。そして、サーバ装置１は在庫量情報１０００ミリリットルから購入量情報２００ミリリットルを差し引き、新たな在庫量情報８００ミリリットルを前記商品識別情報１１１１に関連付けて記憶部に記憶する。
【００１０】
受注情報を受信したユーザーは、ユーザー端末１０から個人情報、課金に必要な情報を入力しサーバ装置へ送信する。サーバ装置１は個人情報、課金情報を公知の手段で認証した後、商品識別情報と関連付けて個人情報、購入量情報を記憶部に記憶する。この入力はサーバ装置１が受注情報をユーザー端末１０へ送信する前にユーザーに行わせることを促し、個人情報、課金情報を受信した後に受注情報をユーザー端末１０へ送信することもできる。また、課金情報については店舗Ａで支払うこことで入力を省略することもできる。
【００１１】
この後、ユーザーは店舗Ａへ、容器情報に基づく容器を持参して行く。店舗Ａではユーザーの個人情報を照合し、店舗端末３０から個人情報を入力することで、サーバ装置１の記憶部から個人情報に関連付けて記憶している商品識別情報、商品名、購入量情報を読み出し、店舗端末３０の表示部に表示する。そしてユーザーが持参じた容器に購入量情報２００ミリリットルの酒を販売する。サーバ装置は以上の処理を行った後、サーバ装置はユーザー端末からの接続により前記処理を繰り返し行う。
【００１２】
次に、ユーザーの入力した購入量情報が在庫量情報より多い場合について説明する。ユーザーはユーザー端末１０からＵＲＬを入力してサーバ装置１に接続する。ユーザーはユーザー端末１０から商品識別情報、及び購入量情報を入力する。例えば酒に関連付けた商品識別情報１１１１と購入量情報２０００ミリリットルを入力する。該商品識別情報と購入量情報とを前記サーバ装置１は受信する。サーバ装置１では受信した商品識別情報１１１１に関連付けた情報を記憶部から読み出す。つまり記憶部からは商品識別情報１１１１と在庫量情報１０００ミリリットルが読み出される。次にサーバ装置１は受信した購入量情報２０００ミリリットルと在庫量情報１０００ミリリットルとを比較し、購入量情報に対して在庫量情報が少ないので、不足分１０００ミリリットルに今後の販売予測量１０００ミリリットルを加えた、合計２０００ミリリットルを発注情報として当該商品のメーカー端末２０へ送信する。メーカー端末２０は、納入予定日をサーバ装置へ送信する。納入予定日を受信したサーバ装置１は、前記ユーザー端末１０へ納入予定日を送信する。ユーザーは、ユーザー端末で受信した納入予定日を了承すれば個人情報、課金情報等を入力する。そして、サーバ装置１は在庫量情報１０００ミリリットルと発注情報２０００ミリリットルとの合計３０００ミリリットルから購入量情報２０００ミリリットルを差し引き、新たな在庫量情報１０００ミリリットルを前記商品識別情報１１１１に関連付けて記憶部に記憶する。
個人情報、課金情報を受信したサーバ装置は、受注情報、容器情報を前記ユーザー端末１０へ送信し、かつ商品識別情報に関連付けて、個人情報、購入量情報、納入予定日を記憶部に記憶する。
【００１３】
メーカーは、酒を発注情報２０００ミリリットル手配し、納入予定日までに店舗Ａへ輸送する。一方、ユーザーは店舗Ａへ、納入予定日以降に、容器情報に基づく容器を持参して行く。店舗Ａではユーザーの個人情報を照合し、店舗端末３０から個人情報を入力することで、サーバ装置１の記憶部から個人情報に関連付けて記憶している商品識別情報、商品名、購入量情報を読み出し、店舗端末３０の表示部に表示する。そしてユーザーが持参じた容器に購入量情報２０００ミリリットルの酒を販売する。サーバ装置は以上の処理を行った後、サーバ装置はユーザー端末からの接続により前記処理を繰り返し行う。
【００１４】
【発明の効果】
本発明は、消費者に対して商品を販売する電子商取引において、消費者が購入を希望する商品をメーカーが提供する容器の収納量に関係なく、販売最小単位毎の量り売りを行うことができる。このため、消費者は真に必要な量の商品をもう入する事ができるため、商品を有効に消費できる。また、商品の購入に際しては、消費者に店舗に来店してもらい、予めサーバ装置が提供した容器情報に基づく容器を持参してもらうことにより、不必要な容器ゴミの排出を軽減する。
【図面の簡単な説明】
【図１】本発明の一実施例に係わる構成図である。
【図２】本発明の一実施例に係わる情報の処理、流れを表す図である。
【符号の説明】
１・・・サーバ装置
１０・・・ユーザー端末
２０・・・メーカー端末
３０・・・店舗端末
【図１】
2004164160.tif 000003
【図２】
2004164160.tif 000004